(57)【要約】      （修正有）【課題】カプラー両端に異形鉄筋締付け金具を固着し、ネジフシ鉄筋とカプラーを一体化することができる異形鉄筋締付け金具を提供する。【解決手段】異形鉄筋締付け金具４は金属製の正六角形板状体をなし、該板状体の各辺を直角に立ち上げた各側壁６を形成し、各側壁同士の頂部を切り離してなり、また前記板状体の中央にはネジフシ鉄筋が嵌合する嵌合孔７が貫通され、該嵌合孔の内周縁にはネジフシ鉄筋のネジ山が係合する係合リブ８が前記ネジ山の高さに合わせた傾斜状態で突出形成されている。そして、前記係合リブは、前記板状体と略同一面から前記ネジフシ鉄筋のネジ山の傾斜に合わせた第一傾斜部材１０と、該第一傾斜部材と小溝を挟んで前記ネジ山の傾斜に合わせた第二傾斜部材１１とから螺旋状に構成される。【選択図】  図２
2005042451.tif 000002
【特許請求の範囲】
【請求項１】
ネジフシ鉄筋のネジ山に嵌合するネジ山を内周面に形成したカプラーの軸方向両端に固着されるキャップ状の異形鉄筋締付け金具からなり、前記異形鉄筋締付け金具は金属製の正六角形板状体をなし、該板状体の各辺を直角に立ち上げた各側壁を形成し、各側壁同士の頂部を切り離してなり、また前記板状体の中央にはネジフシ鉄筋が嵌合する嵌合孔が貫通され、該嵌合孔の内周縁にはネジフシ鉄筋のネジ山が係合する係合リブが前記ネジ山の高さに合わせた傾斜状態で突出形成されていることを特徴とする異形鉄筋締付け金具。
【請求項２】
前記係合リブは、前記板状体と略同一面から前記ネジフシ鉄筋のネジ山の傾斜に合わせた第一傾斜部材と、該第一傾斜部材と小溝を挟んで前記ネジ山の傾斜に合わせた第二傾斜部材とから螺旋状に構成されることを特徴とする請求項１記載異形鉄筋締付け金具。
【発明の詳細な説明】
【技術分野】
【０００１】
本発明は、鉄筋コンクリート工事において、主筋に用いられる２本のネジフシ鉄筋をカプラーによって結合する異形鉄筋締付け金具に関する。
【背景技術】
【０００２】
在来工法の場合、鉄筋の継手は、ガス圧接または重ね継手で施工している。
しかし、鉄筋の太径化・高強度化と構築工法の多様化に伴い、継手工法も数多く開発されている。
従来のトルク方式ネジフシ鉄筋継手は、２本のネジフシ鉄筋をカプラーによって結合する工法で、剛性を確保するためにロックナットで締め付けて一体化を図るものである。
また、グラウト方式ネジフシ鉄筋継手は、カプラー軸方向両端からネジ込まれた２本のネジフシ鉄筋をグラウト注入口から内部に充填したグラウト材によって結合する工法で、剛性を確保するためにカプラーとネジフシ鉄筋間に生じた空隙部分にグラウト材を注入硬化させて一体化を図るものである。
【０００３】
このようなグラウト材を使用するネジフシ鉄筋用継手として特開２００２−２３５４０４号公報が公知となっている。
上記特開２００２−２３５４０４号公報は、図面に示すように、内周面にネジ山（２a）を、外周面にグラウト注入口（１０）を備え、軸方向両端からネジ込まれたネジフシ鉄筋（５，６）を前記グラウト注入口から内部に充填したグラウト（１１）により接続固定するネジフシ鉄筋用継手（１a）において、前記ネジ山の少なくとも引っかかり高さ部分の幅を、両側の傾斜角はそのままにして山頂（３a）の幅がピッチの１５％以下となるように削減したことを特徴としてなるネジフシ鉄筋用継手である。
【特許文献１】特開２００２−２３５４０４号公報
【発明の開示】
【発明が解決しようとする課題】
【０００４】
本発明は、カプラー両端に異形鉄筋締付け金具を固着し、ネジフシ鉄筋とカプラーを一体化することができる異形鉄筋締付け金具を提供することを目的とする。
【課題を解決するための手段】
【０００５】
本発明は、ネジフシ鉄筋のネジ山に嵌合するネジ山を内周面に形成したカプラーの軸方向両端に固着されるキャップ状の異形鉄筋締付け金具からなり、前記異形鉄筋締付け金具は金属製の正六角形板状体をなし、該板状体の各辺を直角に立ち上げた各側壁を形成し、各側壁同士の頂部を切り離してなり、また前記板状体の中央にはネジフシ鉄筋が嵌合する嵌合孔が貫通され、該嵌合孔の内周縁にはネジフシ鉄筋のネジ山が係合する係合リブが前記ネジ山の高さに合わせた傾斜状態で突出形成されているものである。
そして、前記係合リブは、前記板状体と略同一面から前記ネジフシ鉄筋のネジ山の傾斜に合わせた第一傾斜部材と、該第一傾斜部材と小溝を挟んで前記ネジ山の傾斜に合わせた第二傾斜部材とから螺旋状に構成されるものである。
【発明の効果】
【０００６】
本発明は、軽量薄板の異形鉄筋締付け金具を締付工具により緩解可能に締め付けて又は塑性変形させてカプラーを固定するので、簡単に接合作業を行うことができる。
また、本発明は、異形鉄筋締付け金具がネジ山に合う係合リブから形成されているので、特殊な締付工具を必要とせず、スパナ等の簡単な締付工具で接合作業を行うことができる。
【発明を実施するための最良の形態】
【０００７】
本発明の異形鉄筋締付け金具の実施例を図面に基づいて、以下に説明する。
図１に示すように、本発明は、ネジフシ鉄筋１のネジ山に嵌合するネジ山を内周面に形成し、外周面にグラウト注入孔２を備えたカプラー３に、該カプラー３の軸方向両端に固着されるキャップ状の異形鉄筋締付け金具４からなる。
なお、本実施例はグラウト方式で説明するが、トルク方式であっても何ら差し障りはない。
【０００８】
図２(a)正面図に示すように、前記異形鉄筋締付け金具４は、金属製の正六角形板状体５をなし、正六角形の各辺を直角に立ち上げた各側壁６を有し、各側壁６同士の頂部を切り離してなり、また板状体５の中央にはネジフシ鉄筋が嵌合する嵌合孔７が貫通され、該嵌合孔７の内周縁にはネジフシ鉄筋のネジ山が係合する係合リブ８が前記ネジ山の高さに合わせた螺旋状態で突出形成されている。
すなわち、前記係合リブ８は、それぞれ小溝９に分離された前後部材から構成され、前記板状体５と略同一面から前記ネジフシ鉄筋のネジ山の傾斜に合わせた第一傾斜部材１０と、該第一傾斜部材１０と小溝９を挟んで前記ネジ山の傾斜に合わせた第二傾斜部材１１とから連続螺旋状に形成され、また相対向する係合リブ８同士は点対称に構成される。
なお、前記係合リブ８は、２条ネジの場合は点対称でもよいが、１条ネジでは１個所のみでも良い。
さらに、係合リブ８先端内周側には、ネジ山のリード面（図示せず）が形成される。
【０００９】
図２(b)縦断面図に示すように、前記異形鉄筋締付け金具４は、前記板状体５と前記側壁６とにより断面コ字状に形成される。
また、前記嵌合孔７に設けた第一傾斜部材１０、第二傾斜部材１１は、前記側壁６の立ち上げ方向に凸状に前記第一傾斜部材１０から第二傾斜部材１１へと螺旋状に変形加工される。
【００１０】
次に、本発明の異形鉄筋締付け金具の作用について、図１に基づいて以下に説明する。
予め、コンクリートに固定されているネジフシ鉄筋１に前記異形鉄筋締付け金具４を図３に示す裏面側から填め込み、引き続き前記ネジフシ鉄筋１の一方端から前記異形鉄筋締付け金具４方向へカプラー３を所定位置までネジ込む。
したがって、コンクリート固定されているネジフシ鉄筋１に前記異形鉄筋締付け金具４とカプラー３の一方端が嵌合支持される。
そして、前記異形鉄筋締付け金具４の係合リブ８をネジフシ鉄筋１のネジ山に沿って前記カプラー３側へネジ込み、スパナ等の締付工具を使用して前記異形鉄筋締付け金具４の板状体５を前記カプラー３に接合させると共に、前記異形鉄筋締付け金具４の側壁６をカプラー３外周に嵌合させる。
こうすることにより、前記係合リブ８の第一傾斜部材１０、第二傾斜部材１１が塑性変形し、前記ネジフシ鉄筋１のネジ山に楔状に食い込むと共に、各側壁６が塑性変形して前記カプラー３外周に固定される。
なお、締め付け後に解体してやり直しがあった場合、工事手順上起きることがあることを考えると塑性変形させず、締め付けは緩解可能の程度にしておくこともできる。
【００１１】
次に、他方のネジフシ鉄筋１に予め前記異形鉄筋締付け金具４を図４に示す正面向きに填め込み、前記異形鉄筋締付け金具４がはめ込まれたネジフシ鉄筋１を前記カプラー３の他方端に所定位置までネジ込む。
前述と同様に、前記係合リブ８をネジフシ鉄筋１のネジ山に沿って前記カプラー３側へネジ込み、スパナ等の締め付け工具を使用して前記異形鉄筋締付け金具４の板状体５を前記カプラー３に接合させると共に、前記異形鉄筋締付け金具４の側壁６をカプラー３外周に嵌合させる。
こうすることにより、前記係合リブ８の第一傾斜部材１０、第二傾斜部材１１が塑性変形し、前記ネジフシ鉄筋のネジ山に楔状に食い込むと共に、各側壁６が塑性変形して前記カプラー３外周に固定される。
なお、前述と同様に、締め付け後に解体してやり直しがあった場合、工事手順上起きることがあることを考えると塑性変形させず、締め付けは緩解可能の程度にしておくこともできる。
その後、前記カプラー３のグラウト注入孔２からグラウトを注入し、前記カプラー３と前記ネジフシ鉄筋１との隙間を充填し、前記カプラー３と前記ネジフシ鉄筋１とを一体化する。
【図面の簡単な説明】
【００１２】
【図１】本発明の異形鉄筋締付け金具の使用状態の一部断面説明図である。
【図２】本発明の異形鉄筋締付け金具の(a)正面図、(b)縦断面図である。
【図３】本発明の異形鉄筋締付け金具の裏面図である。
【図４】本発明の異形鉄筋締付け金具の正面図である。
【図５】従来のネジフシ鉄筋継手の縦断面図である。
【符号の説明】
【００１３】
１  ネジフシ鉄筋
２  グラウト注入孔
３  カプラー
４  異形鉄筋締付け金具
５  板状体
６  側壁
７  嵌合孔
８  係合リブ
９  小溝
１０  第一傾斜部材
１１  第二傾斜部材
【図１】
2005042451.tif 000003
【図２】
2005042451.tif 000004
【図３】
2005042451.tif 000005
【図４】
2005042451.tif 000006
【図５】
2005042451.tif 000007